(57)【要約】      （修正有）【課題】高さ調整可能な枕を提供する。【解決手段】枕本体と、エアバッグ２とを含み、該枕本体の内部には、エアバッグを収容するキャビティが形成され、該エアバッグは、キャビティの下部底面に設けられ、充気後にキャビティの上部天面に近づく方向に向かって膨張し、該枕本体のキャビティの側壁と上部天面との接続部分には、キャビティに近づく方向に向かって延在し、且つ増肉された遷移領域が形成されていて、仰向け又は横向きの時に、枕が頸及び頭を好適に支持することができ、窪んでいるような感じが明らかに生じることがなく、ユーザの快適性を向上させることができる。【選択図】図２
0003225775.tif 000002
【実用新案登録請求の範囲】
【請求項１】
枕本体と、エアバッグと、を含む高さ調整可能な枕であって、
前記枕本体の内部には、エアバッグを収容するキャビティが形成され、
前記エアバッグは、キャビティの下部底面に設けられ、充気後にキャビティの上部天面に近づく方向に向かって膨張し、
前記枕本体のキャビティの側壁と上部天面との接続部分には、キャビティに近づく方向に向かって延在し、且つ増肉された遷移領域が形成されている、高さ調整可能な枕。
【請求項２】
前記増肉された遷移領域は、弧状である、請求項１に記載の高さ調整可能な枕。
【請求項３】
前記エアバッグは、単一のエアバッグであり、或いは複数のサブエアバッグを組み合わせて構成される、請求項１に記載の高さ調整可能な枕。
【請求項４】
前記枕本体は、上半部と、下半部とを含み、
前記上半部と前記下半部とを互いに向かって嵌合することで、前記キャビティ及びサブキャビティを形成し、
前記サブキャビティ内には、前記エアバッグの充気又は放気を制御する電気回路部材が配置されている、請求項１に記載の高さ調整可能な枕。
【請求項５】
前記上半部は、頸支持領域及び頭支持領域であり、
前記サブキャビティは、前記頭支持領域の前記頸支持領域から離れた側に位置する、請求項４に記載の高さ調整可能な枕。
【請求項６】
前記下半部は、枕の特定領域の高さを調節する高さ調節キャビティと、前記高さ調節キャビティと嵌合する充填部材とを有し、
前記充填部材は、高さ調節キャビティ内に充填され、
前記充填部材の充填量が多いほど、枕本体の高さ調節キャビティに対応する領域の高さが高くなる、請求項４に記載の高さ調整可能な枕。
【請求項７】
前記下半部は、人体の頸に近い端部から外側に延出する平らな台部を有し、
前記平らな台部は、枕本体の長手方向に沿って延在し、人体の仰向けの場合に頸、肩の後部及び人体の支持体により形成されたキャビティ内に位置し、
前記平らな台部には、圧力センサが設けられている、請求項４に記載の高さ調整可能な枕。
【請求項８】
前記圧力センサは、平らな台部の長手方向に沿って平らな台部の下面に設けられている、請求項７に記載の高さ調整可能な枕。
【請求項９】
前記上半部の前記頸支持領域の外面には、取り外し可能な支持シートが設けられている、請求項５に記載の高さ調整可能な枕。
【考案の詳細な説明】
【技術分野】
【０００１】
本考案は、家庭用品に関し、特に枕に関する。
【背景技術】
【０００２】
人々の生活リズムの加速に伴い、睡眠不足は現在の都市部の人々の普遍の現象になっている。専門家によると、睡眠不足は健康に大きな影響を及ぼし、留意する必要がる。睡眠不足の悪い影響は主に以下に反映される。１つ目は、脳の創造的な思考に影響を与える。２つ目は、青少年の成長及び発育に影響を与える。３つ目は、健康などに影響を与える。このように、快適な睡眠は人体に不可欠である。ベッドで休憩する際に、頭は枕で支えられて、一定の角度で上に傾く必要がある。よって、枕のフィット感は非常に重要である。選択された枕が適切でないと、頸部痛、不眠症、翌日の疲労などを引き起こし、翌日の正常な生活に影響を与える。しかし、各人の体の曲線及び睡眠姿勢などの要因により、適切な枕を選択することは非常に困難である。
【０００３】
人々の横向き又は仰向けの時に、適切な枕の高さが異なるため、市販の枕では、様々な睡眠姿勢に応じて高さを自動的に調整可能な枕がある。このような枕はエアバッグを充気、或いは放気することで枕の高さを変更するが、エアバッグが充気後に垂直方向に膨張し、水平方向に収縮するため、充気後のエアバッグとエアバッグが設けられているキャビティとの間に隙間が形成される。人体の頭及び頸がこの隙間に位置すると、窪んでいるような感じが生じ、非常に不快になってしまう。
【考案の概要】
【考案が解決しようとする課題】
【０００４】
本考案は、によれば、仰向け又は横向きの時に、枕が頸及び頭を好適に支持することができ、窪んでいるような感じが明らかに生じることがなく、ユーザの快適性を向上させることができる高さ調整可能な枕を提供する。
【課題を解決するための手段】
【０００５】
上記の課題を解決するために、本考案は、枕本体と、エアバッグと、を含む高さ調整可能な枕であって、前記枕本体の内部には、エアバッグを収容するキャビティが形成され、前記エアバッグは、キャビティの下部底面に設けられ、充気後にキャビティの上部天面に近づく方向に向かって膨張し、前記枕本体のキャビティの側壁と上部天面との接続部分には、キャビティに近づく方向に向かって延在し、且つ増肉された遷移領域が形成されている、高さ調整可能な枕を提供する。
【０００６】
１つの好ましい実施例では、前記増肉された遷移領域は、弧状である。
【０００７】
１つの好ましい実施例では、前記エアバッグは、単一のエアバッグであり、或いは複数のサブエアバッグを組み合わせて構成される。
【０００８】
１つの好ましい実施例では、前記枕本体は、上半部と、下半部とを含み、前記上半部と前記下半部とを互いに向かって嵌合することで、前記キャビティ及びサブキャビティを形成し、前記サブキャビティ内には、前記エアバッグの充気又は放気を制御する電気回路部材が配置されている。
【０００９】
１つの好ましい実施例では、前記上半部は、頸支持領域及び頭支持領域であり、前記サブキャビティは、前記頭支持領域の前記頸支持領域から離れた側に位置する。
【００１０】
１つの好ましい実施例では、前記下半部は、枕の特定領域の高さを調節する高さ調節キャビティと、前記高さ調節キャビティと嵌合する充填部材とを有し、前記充填部材は、高さ調節キャビティ内に充填され、前記充填部材の充填量が多いほど、枕本体の高さ調節キャビティに対応する領域の高さが高くなる。
【００１１】
１つの好ましい実施例では、前記下半部は、人体の頸に近い端部から外側に延出する平らな台部を有し、前記平らな台部は、枕本体の長手方向に沿って延在し、人体の仰向けの場合に頸、肩の後部及び人体の支持体により形成されたキャビティ内に位置し、前記平らな台部には、圧力センサが設けられている。
【００１２】
１つの好ましい実施例では、前記圧力センサは、平らな台部の長手方向に沿って平らな台部の下面に設けられている。
【００１３】
１つの好ましい実施例では、前記上半部の前記頸支持領域の外面には、取り外し可能な支持シートが設けられている。
【考案の効果】
【００１４】
従来技術に比べて、本考案の各態様は以下の有利な効果を有する。
【００１５】
本考案に係る高さ調整可能な枕は、枕本体のキャビティの側壁と上部天面との接続部分に、キャビティに近づく方向に向かって延在し、且つ増肉された遷移領域が形成されている。これによって、枕本体の側壁と上部天面との間の遷移領域の厚さを増加することができる。人の仰向けの時に、エアバッグが収縮し、キャビティの支持強度が小さくなり、頭がキャビティを偏平形状に押し、窪んでいるような感じが生じてしまう。これに対し、本考案に係る設計では、キャビティの支持強度を増加し、窪んでいるような感じを低減させることができる。また、横向きの時に、エアバッグが垂直方向に膨張し、水平方向に収縮するため、エアバッグがキャビティの上部天面に当接する場合に、エアバッグとキャビティの側壁との間に隙間が形成され、人の頭及び頸がこの隙間に位置すると、窪んでいるような感じが生じ、不快になってしまう。これに対し、本考案に係る設計では、エアバッグが水平方向に沿って収縮する際に、遷移領域が比較的に厚いため、エアバッグの収縮量を補償することができ、エアバッグと遷移領域とのフィット状態を維持し、隙間を回避することができ、窪んでいるような感じの発生を回避し、ユーザの快適性を向上させることができる。
【図面の簡単な説明】
【００１６】
【図１】本考案の好ましい実施例１に係るエアバッグが放気状態にある枕の断面図である。
【図２】本考案の好ましい実施例１に係るエアバッグが充気状態にある枕の断面図である。
【図３】本考案の好ましい実施例１に係る高さ調節キャビティの模式図である。
【図４】本考案の好ましい実施例１に係る下半部の平らな台部の模式図である。
【図５】本考案の好ましい実施例１に係るゲルシートの設置位置の模式図である。
【図６】本考案の好ましい実施例２に係るエアバッグが放気状態にある枕の断面図である。
【図７】本考案の好ましい実施例２に係るエアバッグが充気状態にある枕の断面図である。
【考案を実施するための形態】
【００１７】
以下は本考案の具体的な実施形態を説明するが、本考案の実施形態はこれに限定されない。
【００１８】
＜実施例１＞
図１及び図２に示すように、高さ調整可能な枕は、枕本体１及びエアバッグ２を含む。枕本体１の内部には、エアバッグ２を収容するキャビティが形成されている。エアバッグ２は、キャビティの下部底面に設けられ、充気後にキャビティの上部天面に近づく方向に向かって膨張する。
【００１９】
枕本体１のキャビティの側壁と上部天面との接続部分には、キャビティに近づく方向に向かって延在し、且つ増肉された弧状の遷移領域が形成されている。本実施例の変形例としては、遷移領域は直角を有する形状であってもよく、遷移領域を厚くすることで本実施例の効果を達成すればよく、本考案の保護範囲はこれらの例に限定されない。
【００２０】
上記の高さ調整可能な枕では、枕本体１のキャビティの側壁と上部天面との接続部分には、キャビティに近づく方向に向かって延在し、且つ増肉された弧状の遷移領域が形成されている。これによって、枕本体１の側壁と上部天面との間の遷移領域の厚さを増加することができる。人の仰向けの時に、エアバッグが収縮し、キャビティの支持強度が小さくなり、頭がキャビティを偏平形状に押し、窪んでいるような感じが生じてしまう。これに対し、本考案に係る設計では、キャビティの支持強度を増加し、窪んでいるような感じを低減させることができる。また、横向きの時に、エアバッグが垂直方向に膨張し、水平方向に収縮するため、エアバッグがキャビティの上部天面に当接する場合に、エアバッグとキャビティの側壁との間に隙間が形成され、人の頭及び頸がこの隙間に位置すると、窪んでいるような感じが生じ、不快になってしまう。これに対し、本考案に係る設計では、エアバッグ２が水平方向に沿って収縮する際に、遷移領域が比較的に厚いため、エアバッグ２の収縮量を補償することができ、エアバッグ２と遷移領域とのフィット状態を維持し、隙間を回避することができ、窪んでいるような感じの発生を回避し、ユーザの快適性を向上させることができる。
【００２１】
本実施例では、エアバッグ２は、直列に接続された複数のサブエアバッグである。
【００２２】
さらに、本実施例では、該キャビティを形成するために、枕本体１は、上半部１１及び下半部１２を含む。上半部１１と下半部１２とを互いに向かって嵌合することで、該キャビティ及びサブキャビティを形成する。該サブキャビティ内には、エアバッグ２の充気又は放気を制御する電気回路部材が配置されている。
【００２３】
上半部１１は、頸支持領域と頭支持領域とに分けられ、該サブキャビティは、該頭支持領域の該頸支持領域から離れた側に位置する。これによって、サブキャビティができるだけ人の頭から離れているため、エアポンプの作動により生じられたノイズの人の睡眠の質への影響を回避することができる。
【００２４】
また、図３に示すように、下半部１２は、枕本体１の全体の高さを調節する高さ調節キャビティ１２２、及び高さ調節キャビティ１２２と嵌合する充填部材を有する。充填部材は、高さ調節キャビティ１２２内に充填され、充填部材の充填の高さが高いほど、枕本体１の高さ調節キャビティに対応する部分の高さが高くなる。例えば、高さ調節キャビティ１２２を頭支持領域に対応する位置に設け、充填部材の量を調節することで、頭支持領域の高さを調整することができる。
【００２５】
本実施例では、枕本体１はスポンジ材料により形成され、高さ調節キャビティを充填するための充填部材もスポンジブロックであり、スポンジブロッブは複数存在してもよく、ユーザの実際の需要に応じてスポンジブロックの数を適宜選択してもよい。
【００２６】
また、図４に示すように、下半部１２は、人体の頸に近い端部から外側に延出する平らな台部１２１を有する。平らな台部１２１は、枕本体１の長手方向に沿って延在し、人体の仰向けの場合に頸、肩の後部及び人体の支持体により形成されたキャビティ内に位置する。平らな台部１２１には、圧力センサ１２３が設けられている。
【００２７】
本実施例では、圧力センサ１２３は、平らな台部１２１の長手方向に沿って間隔を隔てて平らな台部１２１の下面に設けられている。人体の仰向け又は横向きの状態における平らな台部１２１への圧力の分布の差異により、人体の睡眠姿勢を区別することができる。
【００２８】
最後に、図５に示すように、本実施例では、上半部１１の頸支持領域の外面には、取り外し可能な支持シート１１１が設けられている。これによって、ユーザは頸支持領域の高さを調節することができる。
【００２９】
＜実施例２＞
図６及び図７に示すように、本実施例では、エアバッグ２は、単一のエアバッグであり、他の部分は実施例１と同様であるため、その説明を省略する。
【００３０】
以上は本考案の好ましい実施例を説明しているが、本考案の範囲はこれに限定されない。即ち、本考案の範囲及び明細書の内容に基づいて行われた均等な変更又は変形は、本考案の範囲内のものである。
【図１】
0003225775.tif 000003
【図２】
0003225775.tif 000004
【図３】
0003225775.tif 000005
【図４】
0003225775.tif 000006
【図５】
0003225775.tif 000007
【図６】
0003225775.tif 000008
【図７】
0003225775.tif 000009